【事件の表示】
　平成　４年特許願第　　６４４８号「メモ管理装置及びその方法」拒絶査定不服審判事件〔平成　５年　２月２６日出願公開、特開平　５−　４６６２７〕について、次のとおり審決する。
【結　論】
　本件審判の請求は、成り立たない。
【理　由】
１．手続の経緯
　本願は、平成４年１月１７日（パリ条約による優先権主張１９９１年１月２９日、大韓民国）の出願であって、平成１３年１０月２５日付で拒絶査定がなされ、これに対し、平成１４年１月２８日に拒絶査定に対する審判請求がなされるとともに、同日付で手続補正がなされ、さらに、当審において、平成１６年８月２０日に拒絶理由が通知され、同年１１月１６日に手続補正がなされたものである。
　
２．本願発明
　本願の請求項１に係る発明（以下「本願発明」という。）は、平成１６年１１月１６日付手続補正書によって、補正された明細書および図面の記載からみて、その特許請求の範囲の請求項１に記載された次の事項により特定されるものである。
「映像プログラム用映像信号を処理するための映像処理部及び映像プログラム用音声信号を処理するための音声処理部を備えた映像処理装置に付加されるメモ管理装置であって、
　ユーザーの指定する種々の集い及び行事に対するメモ事項を流入するための操作部と、
　前記映像処理装置に電源が供給され、前記映像処理部及び音声処理部がスイッチオン状態であるか否かをチェックすると共に、前記操作部を通じて流入されるメモ事項を貯蔵し管理して、該メモ事項の日付別の少なくとも１日前に、該映像処理部及び音声処理部がスイッチオン状態であるときは、メモ内容に対する文字情報及び音声情報を発生させ、該映像処理部及び前記音声処理部がスイッチオン状態でないときは、所望のメモに対する情報をユーザに認識させるように警報音を出力するためのメモ確認用警報制御信号を発生させるマイコンと、
　前記マイコンから発生された文字情報を映像信号形態に変換するＯＳＤ回路と、
　前記ＯＳＤ回路の出力を前記映像処理部の出力と混合するためのビデオスイッチと、
　前記マイコンから発生された音声情報を音声信号形態に変換するための音声情報処理部と、
　前記音声処理部の出力と前記音声情報処理部の出力とを混合するための音声スイッチと、
　前記マイコンからのメモ確認用警報制御信号に応じて作動される警報手段を
含むことを特徴とするメモ管理装置。」
　
３．引用例
　当審の拒絶の理由に引用された特開平１−２５０７８３号公報（以下「引用例１」という。）には、以下の事項が記載されている。
　
Ａ．「現在時刻を測る時計手段と、後日必要な入力情報を入力する情報入力手段と、この入力情報を記憶する記憶手段と、設定した所定の日時にわたつて前記入力情報を所定時間だけ出力させるべく設定された出力開始時刻と前記時計手段で測られている現在時刻とが一致した場合に制御信号を出力する計時比較手段と、前記情報入力手段に前記入力情報が入力された場合にこの入力情報を前記記憶手段に書き込ませ、この計時比較手段から前記制御信号が出力された場合に前記記憶手段に記憶されている前記入力情報を読み出させる記憶制御手段と、主情報源と、この主情報と前記記憶手段から読み出された入力情報とを同時にか又は選択して出力する出力制御手段と、この出力制御手段から出力された前記主情報および前記入力情報を出力する情報出力手段とを具備して成ることを特徴とする入力情報適時再現システム。」
（１頁左下欄５行−右下欄１行）
　
Ｂ．「本発明は入力情報適時再現システムに係わり、特に「何日の何時に約束事がある」等の入力情報を所定の日時にわたつて所定の時刻にＴＶ（テレビジヨン）画面やＴＶ音声で知らせる入力情報適時再現システムに関する。」
（１頁右下欄５行−右下欄９行）
　
Ｃ．「第１図は本発明の一実施例に係る入力情報適時再現システムのブロツク図である。第１図において、１は現在時刻を測る時計手段（例えば基準クロツク発生回路２、計時回路３および時刻設定回路４から成る時計）、５は後日必要な入力情報を入力する情報入力手段（例えばキーボード）、６は入力情報を記憶する記憶手段（例えばビデオ用ＲＡＭ）、７は設定した所定の日時にわたつて入力情報を所定時間だけ出力させるべく設定された出力開始時刻と時計手段１で測られている現在時刻とが一致した場合に制御信号を出力する計時比較手段（例えば出力時刻設定手段８と比較回路９より成る手段）、１０は情報入力手段５に入力情報が入力された場合にこの入力情報を記憶手段６に書き込ませ、計時比較手段７から前記制御信号が出力された場合に記憶手段６に記憶されている前記入力情報を読み出させる記憶制御手段（例えば記憶制御回路）、１１は主情報を入力する主情報源［例えばＶＴＲ（ビデオテープレコーダ）からのＥ−Ｅ（Ｅｌｅｃｔｒｉｃ　ｔｏ　Ｅｌｅｃｔｒｉｃ）出力］、１２はこの大量の情報と記憶手段６から読み出された入力情報とを同時にか又は選択して出力する出力制御手段（例えば出力制御回路）、１３は出力制御手段１２から出力された前記主情報および前記入力情報を出力する情報出力手段（例えばＴＶ（テレビジヨン））である。１４は情報入力手段５から入力してきた入力情報がアナログ信号である場合に、このアナログ信号をデジタル信号に変換するデジタル信号変換回路、１５は記憶手段６から読み出された前記入力情報を映像信号に変換する文字信号変換回路である。」
（２頁左下欄８行−右下欄下２行）
　
Ｄ．「次に出力時刻設定手段８に情報保持日時あるいは情報出力時刻等が入力されると設定が終了する。実際には、例えば２８日の１２時に外出予定の場合には、キーボード５によつて「２８日」、「１２時」、「外出」の文字情報等を入力する。そして設定者が毎日朝８：００にＴＶ（テレビジヨン）を視聴することを考慮して出力時刻設定手段８によつて情報出力か時刻をＡＭ８：００と設定した場合には、この情報出力時刻と時計１が示す現在時刻とが比較回路９にて比較される。この情報出力時刻とこの現在時刻とが一致すると比較回路９から記憶制御回路１０に制御信号が出力され、この記憶制御回路１０からビデオＲＡＭ６に読み出し信号が送られる。するとこのビデオＲＡＭ６から読み出された文字情報が文字信号変換回路１５にて映像信号に変換されて出力制御回路１２に送られる。そしてこの映像信号はＶＴＲからのＥ−Ｅ出力に重畳（オンスクリーン）され、２８日まで毎朝８：００に数秒の間ＴＶ１３の画面上に文字出力される。
また出力時刻設定手段８によつて情報保持日時が前記文字情報設定後「２８日」から「２７日」に設定し直された場合には、例えば３日前からＶＴＲの電源をＯＮするごとに、あるいはＴＶの電源をＯＮするごとにこれと同期して前記の「２７日」という入力情報が、ＶＴＲからのＥ−Ｅ出力に重畳されてＴＶ１３に出力される。」
（３頁左上欄９行−右上欄１４行）
　
Ｅ．「第２図は本発明の第２の実施例に係る入力情報適時再現システムのブロツク図である。なお第１図のブロツク図に示した構成と同一の構成については同一の符号を付しその説明の一部については省略する。第２図において、２５は後日必要な入力情報を入力する情報入力手段（例えばカセツトテープをセツトしたカセツトテープデツキ）、２６は入力情報を記憶する記憶手段（例えば録音されたカセツトテープをセツトしたカセツトテープデツキ）である。
次に本実施例の動作を図面を基に説明する。第２図に示す如く第１の実施例との差異は、キーボード５がカセツトテープをセツトしたカセツトテープデツキ２５に、そしてビデオＲＡＭ６が録音されたカセツトテープをセツトしたカセツトテープデツキ２６に代替され、そして文字信号変換回路１５が除かれた点にある。
実際に後日必要な入力情報を音声情報としてカセツトテープに録音した後で、このカセツトテープデツキ２６を出力制御手段１２を介してＴＶ１３に接続し、情報出力時刻をＡＭ８：００に設定した場合には、毎朝８：００から数回にわたつてカセツトテープに録音された情報が再生され、ＴＶ音声と選択出力されて再生される。
以上のことより、本実施例によれば、例えば「２８日」、「１２時」、「外出」等の後日必要な入力情報の記憶保持がカセツトテープデツキ２６の使用により容易であり、この入力情報が音声情報としてＴＶで毎日定時に流されるので、この必要な入力情報の忘却を防ぐことができる。」
（３頁左下欄１−右下欄１１行）
　
　引用例１には、文字情報を入力情報とする第１の実施例（記載Ｄ）と、音声情報を入力情報とする第２の実施例（記載Ｅ）が別の実施態様として記載されているが、引用例１の入力情報適時再現システムは、文字情報や音声情報の入力情報をテレビジョン画面やテレビジョン音声で知らせるものである（記載Ｂ）から、引用例１には、文字情報又は音声情報を入力情報とする入力情報適時再現システムが記載されているということができる。
　また、第２の実施例（記載Ｂ）では、カセットテープに録音された音声情報が再生され、テレビジョン音声と選択出力する構成が開示されているが、記載Ａから、音声情報をテレビジョン音声に重畳させる構成としてもよいことは明らかである。
　そして、引用例１の入力情報適時再現システムが作動するには、テレビジョンが視聴されていること、即ち、主情報源とテレビジョンの電源がＯＮ状態にあることが前提であることも明らかである。
　
　してみると、引用例１には、
「ＶＴＲからのＥ−Ｅ出力である主情報源とテレビジョンを具備する入力情報適時再現システムであって、
　後日必要な入力情報を入力する情報入力手段と、
　前記入力情報を記憶手段に書き込ませ、入力情報の日付の３日前から、主情報源とテレビジョンの電源がＯＮ状態であるとき、入力情報に対する文字情報又は音声情報を読み出し又は再生させる記憶制御手段と、
　前記記憶制御手段により読み出された文字情報を映像信号に変換する文字信号変換回路と、
　前記文字信号変換回路の出力を主情報源の出力に重畳する出力制御回路と、
　前記記憶制御手段により再生された音声情報を主情報源の出力に重畳する出力制御手段とを
含む入力情報適時再現システム。」
の発明（以下「引用例１発明」という。）が記載されていると認められる。
　
　また、当審の拒絶の理由に引用された特開昭５５−５５６３１号公報（以下「引用例２」という。）には、以下の事項が記載されている。
　
Ｆ．「前記電源オン信号発生部１２は、電源スイッチ１４が投入状態になって電源部１３からテレビジョン受像機の選局部１０に所要電圧が供給された後に第１電源オン信号ｄおよび第２電源オン信号ｅを発生する」
（２頁右下欄下２行−３頁左上欄３行）
　
Ｇ．「今、上記電源スイッチが遮断状態、即ちテレビジョン受像器が映出動作していない状態にあり、また、前記プログラム記憶部１からは開始時刻Ｔａおよびチャンネル番号ＣＨａのプログラム時刻データ及びチャンネルデータが出力されているものとする。この状態で前記時計部４から出力される現時刻データがＴａになると比較一致信号ａが前記比較部３から出力され、これにより、アラームラッチ出力信号ｃがハイレベルになり、その結果、前記アラーム音発生部８からアラーム音が発音される。」
（３頁左上欄下５行−右上欄６行）
　
　
　さらに、当審の拒絶の理由に引用された特開平２−３０５２７７号公報（以下「引用例３」という。）には、以下の事項が記載されている。
　
Ｈ．「本発明は、テレビジヨン受像機自体に設けられた遠隔操作により制御される一つのマイクロコンピユーター手段により、予約された時間にプログラム上に記憶されたＴＶモードでチャンネル放送を視聴でき、結婚記念日または誕生日などを記憶させたメモリ装置から特別に指定された日付またはその前日に記憶情報をデイスプレーさせることかでき、電話番号簿または個人住所録などの日常生活に関する文書記録を便利に利用可能な多様なサービスを提供でき」
（２頁右下欄５行−１９行）
　
４．対比
　本願発明（以下「前者」という。）と引用例１記載発明（以下「後者」という。）とを対比するに、後者の主情報源であるＶＴＲからのＥ−Ｅ出力は、映像プログラム用映像信号と映像プログラム用音声信号を含み、この出力がテレビジョンに入力されることにより、全体として、映像処理部及び音声処理部を備えた映像処理装置を構成しているということができるから、後者の「ＶＴＲからのＥ−Ｅ出力である主情報源とテレビジョン」は、前者の「映像プログラム用映像信号を処理するための映像処理部及び映像プログラム用音声信号を処理するための音声処理部を備えた映像処理装置」に相当する。
　また、後者の入力情報はその内容からみてメモ事項であり、いつ再現するかという管理を行っているのであるから、後者の「入力情報適時再現システム」は、前者の「メモ管理装置」に相当する。
　以下、同様に、「後日必要な入力情報」は、「ユーザーの指定する種々の集い及び行事に対するメモ事項」に、「入力」は、「流入」に、「情報入力手段」は、「操作部」に、「記憶手段に書き込ませ」は、「貯蔵し管理」に、「読み出し又は再生」は、「発生」に、「記憶制御手段」は、「マイコン」に、「映像信号に変換する文字信号変換回路」は、「映像信号形態に変換するＯＳＤ回路」に、「重畳」は、「混合」に、「出力制御回路」は、「ビデオスイッチ」に、「出力制御手段」は、「音声スイッチ」に、それぞれ相当する。
　
　してみると、両者は、
「映像プログラム用映像信号を処理するための映像処理部及び映像プログラム用音声信号を処理するための音声処理部を備えた映像処理装置とメモ管理装置であって、
　ユーザーの指定する種々の集い及び行事に対するメモ事項を流入するための操作部と、
　前記操作部を通じて流入されるメモ事項を貯蔵し管理して、該映像処理部及び音声処理部がスイッチオン状態であるときは、メモ内容に対する情報を発生させるマイコンと、
　前記マイコンから発生された文字情報を映像信号形態に変換するＯＳＤ回路と、
　前記ＯＳＤ回路の出力を前記映像処理部の出力と混合するためのビデオスイッチと、
　前記マイコンから発生された音声情報の出力と前記音声情報処理部の出力とを混合するための音声スイッチと、
含むことを特徴とするメモ管理装置。」
で一致し、次の各点で相違する。
　
相違点１
　本願発明が「前記映像処理装置に電源が供給され、前記映像処理部及び音声処理部がスイッチオン状態であるか否かをチェックすると共に、該映像処理部及び前記音声処理部がスイッチオン状態でないときは、所望のメモに対する情報をユーザに認識させるように警報音を出力するためのメモ確認用警報制御信号を発生させる」のに対し、引用例１発明は前記構成を有していない点。
　
相違点２
　本願発明が「該メモ事項の日付別の少なくとも１日前に」情報を発生するのに対し、引用例１発明は「入力情報の日付の３日前から」情報を発生する点。
　
相違点３
　本願発明が文字情報「及び」音声情報を発生させるのに対し、引用例１発明では文字情報「又は」音声情報を発生する点。
　
相違点４
　本願発明が「音声信号形態に変換するための音声情報処理部」を有するのに対し、引用例１発明では前記構成を有していない点。
　
相違点５
　本願発明が「前記マイコンからのメモ確認用警報制御信号に応じて作動される警報手段」を有するのに対し、引用例１発明では前記構成を有していない点。　
　
５．判断
　上記各相違点について検討する。
　
相違点１、５について
　引用例２には、テレビジョン受像機において、電源オン信号発生部を設け、電源スイッチが投入状態の時は、プログラムの内容に従ってテレビジョン受像機を制御し、電源スイッチが遮断状態の時は、アラーム音を発音し、プログラムの開始時刻であることを視聴者に知らしめることが記載されている。
　引用例１、２は共に、記憶手段に記憶した情報に基づいて、映像処理装置の制御を行うものであるから、引用例１発明に引用例２記載の技術手段を適用することに格別の困難はない。
　してみると、引用例１発明において、電源オン信号発生部を設け、映像処理装置の映像処理部及び音声処理部がスイッチオン状態でないとき、警報音を出力させる信号を発生させること、並びに、該信号に応じて作動する警報手段を付加し、相違点１、５に係る構成を得ることは、当業者が容易に想到し得ることである。
　
相違点２について
　引用例３には、指定された日付又はその前日に記憶情報をテレビジョン受像機にディスプレーすることが記載されているから、引用例１発明の「入力情報の日付の３日前から」に代えて、「該メモ事項の日付別の少なくとも１日前に」とすることは、当業者が容易に想到し得ることである。
　
相違点３について
　情報を報知する際、視覚的手段及び聴覚的手段を併用することは、一般に周知の事項であるから、引用例１発明において、文字情報と音声情報を共に映像処理装置から出力する構成とすることは、当業者が容易に想到し得ることである。
　そして、文字情報と音声情報を共に映像処理装置から出力するためには、メモ内容に対する情報として、文字情報「又は」音声情報ではなく、文字情報「及び」音声情報を発生させる必要があることは、当業者には自明である。
　
相違点４について
　アナログの音声信号をＡＤ変換し、ディジタルの音声情報として記憶し、又、読み出したディジタルの音声情報をアナログの音声信号形態に変換して、映像処理装置等から出力することは、情報処理の技術分野において周知の事項である。
　してみると、引用例１発明の、アナログの信号形態で記録再生する構成に代えて、ディジタルの音声情報として記憶し、読み出したディジタルの音声情報をアナログの音声信号形態に変換する構成を採用することは、当業者が容易になし得ることであるから、引用例１発明に、音声情報を音声信号形態に変換するための音声情報処理部を付加することは、当業者が容易に想到し得ることである。
　
　そして、本願発明の作用効果も、引用例１〜３及び周知技術から当業者が予測できる範囲のものである。
　
６．むすび
　以上のとおり、本願発明は、引用例１〜３に記載された発明及び周知技術に基づいて、当業者が容易に発明をすることができたものであるから、特許法第２９条第２項の規定により特許を受けることができない。
　よって、結論のとおり審決する。